【手続補正書】
【提出日】平成16年12月7日(2004.12.7)
【手続補正１】
【補正対象書類名】明細書
【補正対象項目名】発明の名称
【補正方法】変更
【補正の内容】
【発明の名称】ディジタル機器、撮像装置、端末装置、通信システム、記憶媒体及び端末装置のカメラ制御方法
【手続補正２】
【補正対象書類名】明細書
【補正対象項目名】特許請求の範囲
【補正方法】変更
【補正の内容】
【特許請求の範囲】
【請求項１】
複数のディジタル機器と相互に通信可能な制御装置に接続された、該複数のディジタル機器のうちの少なくとも１つのディジタル機器であって、
上記制御装置との通信を行う通信手段と、
本機器全体の動作制御を司る制御手段と、
上記制御手段での動作制御のための制御条件が予め記憶された第１の記憶手段と、
本機器の仕様情報が予め記憶された第２の記憶手段とを備え、
上記通信手段は、上記制御装置からの要求に従って上記第２の記憶手段の仕様情報を上記制御装置に対して送信すると共に、上記制御装置からの上記仕様情報に基づいた制御条件変更命令を受信し、
上記制御手段は、上記第１の記憶手段の制御条件が上記制御条件変更命令に従って変更された制御条件によって本機器の動作制御を行うことを特徴とするディジタル機器。
【請求項２】
複数のディジタル機器と相互に通信可能な制御装置に接続された、該複数のディジタル機器のうちの少なくとも１つの撮影機能を有するディジタル機器であって、
上記制御装置との通信を行う通信手段と、
上記撮影機能での少なくとも撮影位置及び撮影角度の何れかを変更する変更手段と、
本機器全体の動作制御を司る制御手段と、
上記制御手段での動作制御のための制御条件が予め記憶された記憶手段とを備え、
上記通信手段は、上記制御装置からの要求に従って上記撮影機能での少なくとも撮影位置及び撮影角度の何れかの情報を上記制御装置に対して送信すると共に、上記制御装置からの上記少なくとも撮影位置及び撮影角度の何れかの情報に基づいた制御条件変更命令を受信し、
上記制御手段は、上記記憶手段の制御条件が上記制御装置からの上記制御条件変更命令に従って変更された制御条件によって上記変更手段の動作制御を行うことを特徴とするディジタル機器。
【請求項３】
上記通信手段は、ＩＥＥＥ１３９４規格のシステムバスを介して上記制御装置との通信を行うことを特徴とする請求項１又は２に記載のディジタル機器。
【請求項４】
複数のディジタル機器と相互に通信可能な制御装置に接続された、該複数のディジタル機器のうちの少なくとも１つのディジタル機器としての撮像装置であって、
請求項１〜３の何れか１項に記載のディジタル機器の機能を有することを特徴とする撮像装置。
【請求項５】
複数のディジタル機器と相互に通信する通信手段と、
上記複数のディジタル機器から任意のディジタル機器を選択する選択手段と、
上記選択手段にて選択されたディジタル機器の仕様情報を上記通信手段を介して取得する仕様取得手段と、
上記仕様取得手段により得られた仕様情報に基づいて、上記選択手段にて選択されたディジタル機器の制御条件を上記通信手段を介して変更する制御条件変更手段とを備えることを特徴とする端末装置。
【請求項６】
少なくとも撮影位置及び撮影角度の何れかが変更可能な複数の撮像装置と相互に通信する通信手段と、
上記複数の撮像装置から任意の撮像装置を選択する選択手段と、
上記選択手段にて選択された撮像装置の少なくとも撮影位置及び撮影角度の何れかの情報を上記通信手段を介して取得する情報取得手段と、
上記情報取得手段により得られた情報に基づいて、上記選択手段にて選択された撮像装置の制御条件を上記通信手段を介して変更する制御条件変更手段とを備えることを特徴とする端末装置。
【請求項７】
上記通信手段は、ＩＥＥＥ１３９４規格のシステムバスを介して上記制御装置との通信を行うことを特徴とする請求項５又は６に記載の端末装置。
【請求項８】
複数のディジタル機器と端末装置が、所定の規格に従ったシステムバスにより相互に通信可能なように接続されてなる通信システムであって、
上記複数のディジタル機器のうち少なくとも１つのディジタル機器は、請求項１〜３の何れか１項に記載のディジタル機器又は請求項４記載の撮像装置を含み、
上記端末装置は、請求項５〜７の何れか１項に記載の端末装置であることを特徴とする通信システム。
【請求項９】
少なくとも２つ以上の第１のデータ通信ノードを有するビデオカメラと、各々のビデオカメラと相互に通信可能な状態に接続された第２のデータ通信ノードを有する制御装置とを含む通信システムであって、
上記ビデオカメラは、上記第１のデータ通信ノードから入力される情報に従って外部から制御可能な被制御手段を備え、
上記制御装置は、
上記第２のデータ通信ノードから外部のビデオカメラを制御するための情報を出力する制御手段と、
上記少なくとも２つ以上のビデオカメラから任意のビデオカメラを選択する選択手段と、
上記選択手段により選択されたビデオカメラの仕様情報を読み込む仕様読込手段と、
上記仕様読込手段により読み込まれた仕様情報に基づいて上記選択されたビデオカメラの制御条件を変更するための命令を出力する制御条件変更命令出力手段とを備えることを特徴とする通信システム。
【請求項１０】
上記ビデオカメラは、上記制御装置からの要求に従って仕様情報を出力する仕様出力手段と、上記制御装置からの制御条件変更命令に従って制御条件を変更する制御条件変更手段とを更に備えることを特徴とする請求項９に記載の通信システム。
【請求項１１】
少なくとも２つ以上の第１のデータ通信ノードを有するビデオカメラと、各々のビデオカメラと相互に通信可能な状態に接続された第２のデータ通信ノードを有する制御装置とを含む通信システムであって、
上記ビデオカメラは、上記第１のデータ通信ノードから入力される情報に従って外部から制御可能な被制御手段を備え、
上記制御装置は、
上記第２のデータ通信ノードから外部のビデオカメラを制御するための情報を出力する制御手段と、
上記少なくとも２つ以上のビデオカメラから任意のビデオカメラを選択する選択手段と、
上記選択手段により選択されたビデオカメラの少なくとも撮影位置及び撮影角度の何れかを検出する検出手段と、
上記検出手段での検出結果に基づいて上記選択されたビデオカメラの制御条件を変更するための命令を出力する制御条件変更命令出力手段とを備えることを特徴とする通信システム。
【請求項１２】
上記ビデオカメラは、上記制御装置からの要求に従って少なくとも撮影位置及び撮影角度の何れかを出力する出力手段と、上記制御装置からの制御条件変更命令に従って制御条件を変更する制御条件変更手段とを更に備えることを特徴とする請求項１１に記載の通信システム。
【請求項１３】
上記制御装置と各々のビデオカメラは、ＩＥＥＥ１３９４規格のシステムバスを介して通信を行うことを特徴とする請求項９又は１１に記載の通信システム。
【請求項１４】
複数のディジタル機器と端末装置間で相互通信を行うことで、各々のディジタル機器の動作を上記端末装置から制御するためのプログラムを格納した記憶媒体であって、
上記端末装置に備えられるコンピュータに、
上記端末装置に入力されたユーザからの指示に従って、上記複数のディジタル機器から任意のディジタル機器を選択する選択手順と、
上記選択手順により選択されたディジタル機器の仕様情報の要求を該機器に対して発行する要求手順と、
上記要求手順により発行された要求に応じて、上記選択ディジタル機器が自機器の仕様情報を上記端末装置に対して送信すると、上記ユーザからの指示及び上記送信された仕様情報に基づいた制御条件変更命令を上記選択ディジタル機器に対して送信する送信手順と、
を実行させるプログラムを格納したことを特徴とするコンピュータ読み取り可能な記憶媒体。
【請求項１５】
複数の撮像装置と端末装置間で相互通信を行うことで、各々の撮像装置の動作を上記端末装置から制御するためのプログラムを格納した記憶媒体であって、
上記端末装置に備えられるコンピュータに、
上記端末装置に入力されたユーザからの指示に従って、上記複数の撮像装置から任意の撮像装置を選択する選択手順と、
上記選択手順により選択された撮像装置の仕様情報の要求を該機器に対して発行する要求手順と、
上記要求手順により発行された要求に応じて、上記選択撮像装置が自装置での少なくとも撮像位置及び撮像角度の何れかの情報を上記端末装置に対して送信すると、上記ユーザからの指示及び上記送信された情報に基づいた制御条件変更命令を上記選択撮像装置に対して送信する送信する送信手順と、
を実行させるプログラムを格納したことを特徴とするコンピュータ読み取り可能な記憶媒体。
【請求項１６】
上記プログラムは、上記コンピュータに、上記相互通信を、ＩＥＥＥ１３９４規格のシステムバスを介して行わせる手順を含むことを特徴とする請求項１４又は１５に記載の記憶媒体。
【請求項１７】
所定の通信手段を介してカメラに接続可能な端末装置のカメラ制御方法であって、
前記カメラから焦点距離情報を取得する取得ステップと、
前記取得ステップにより取得した焦点距離情報に基づき、前記カメラのレンズがワイドレンズであるか否かを判断する判断ステップと、
前記カメラのレンズがワイドレンズでないと判断された場合は前記カメラの電子ズーム動作を許可する許可命令を前記カメラに対して発行し、前記カメラのレンズがワイドレンズであると判断された場合は前記カメラの電子ズーム動作を禁止する禁止命令を前記カメラに対して発行する命令発行ステップと、
を備えることを特徴とする端末装置のカメラ制御方法。
【請求項１８】
所定の通信手段を介してカメラに接続可能な端末装置のカメラ制御方法であって、
前記カメラから撮影位置情報を取得する取得ステップと、
前記取得ステップにより取得した撮影位置情報に基づき、前記カメラが高速移動物体撮影位置にあるか否かを判断する判断ステップと、
前記カメラが高速移動物体撮影位置にあると判断された場合は前記カメラの露光時間を最短露光時間にするための制御変更命令を前記カメラに対して発行し、前記カメラが高速移動物体撮影位置にないと判断された場合は前記カメラの露光時間を所定の標準露光時間にするための制御変更命令を前記カメラに対して発行する命令発行ステップと、
を備えることを特徴とする端末装置のカメラ制御方法。
【請求項１９】
所定の通信手段を介してカメラに接続可能な端末装置のカメラ制御方法であって、
前記カメラから露光情報と撮影位置情報とを取得する取得ステップと、
前記取得ステップにより取得した露光情報に基づき、前記カメラが暗部撮影可能な否かを判断する第１判断ステップと、
前記カメラが暗部撮影可能である場合に前記カメラの撮影位置が暗部撮影位置であるか否かを判断する第２判断ステップと、
前記カメラが暗部撮影位置にあると判断された場合は前記カメラのゲインコントロールの利得を現在よりも上げかつ前記カメラの露光時間を最短露光時間にするための制御変更命令を前記カメラに対して発行し、前記カメラが暗部撮影位置にないと判断された場合は前記カメラのゲインコントロールの利得を自動調整にしかつ前記カメラの露光時間を所定の標準露光時間にするための制御変更命令を前記カメラに対して発行する命令発行ステップと、
を備えることを特徴とする端末装置のカメラ制御方法。
【手続補正３】
【補正対象書類名】明細書
【補正対象項目名】００１２
【補正方法】変更
【補正の内容】
【００１２】
そこで、本発明は、上記の欠点を除去するために成されたもので、複数のディジタル機器と効率的なデータ通信を行って、各々のディジタル機器に最適な動作制御を外部から個々に行うことが可能なディジタル機器、撮像装置、端末装置、通信システム、それを実施するための処理ステップを格納したコンピュータ読み出し可能な記憶媒体及び端末装置のカメラ制御方法を提供することを目的とする。
【手続補正４】
【補正対象書類名】明細書
【補正対象項目名】００１６
【補正方法】変更
【補正の内容】
【００１６】
第４の発明は、複数のディジタル機器と相互に通信可能な制御装置に接続された、該複数のディジタル機器のうちの少なくとも１つのディジタル機器としての撮像装置であって、上記第１〜３の発明の何れかのディジタル機器の機能を有することを特徴とする。
【手続補正５】
【補正対象書類名】明細書
【補正対象項目名】００２０
【補正方法】変更
【補正の内容】
【００２０】
第８の発明は、複数のディジタル機器と端末装置が、所定の規格に従ったシステムバスにより相互に通信可能なように接続されてなる通信システムであって、上記複数のディジタル機器のうち少なくとも１つのディジタル機器は、上記第１〜３の発明の何れかのディジタル機器又は第４の発明の撮像装置を含み、上記端末装置は、上記第５〜７の何れかの端末装置であることを特徴とする。
【手続補正６】
【補正対象書類名】明細書
【補正対象項目名】００２１
【補正方法】変更
【補正の内容】
【００２１】
第９の発明は、少なくとも２つ以上の第１のデータ通信ノードを有するビデオカメラと、各々のビデオカメラと相互に通信可能な状態に接続された第２のデータ通信ノードを有する制御装置とを含む通信システムであって、上記ビデオカメラは、上記第１のデータ通信ノードから入力される情報に従って外部から制御可能な被制御手段を備え、上記制御装置は、上記第２のデータ通信ノードから外部のビデオカメラを制御するための情報を出力する制御手段と、上記少なくとも２つ以上のビデオカメラから任意のビデオカメラを選択する選択手段と、上記選択手段により選択されたビデオカメラの仕様情報を読み込む仕様読込手段と、上記仕様読込手段により読み込まれた仕様情報に基づいて上記選択されたビデオカメラの制御条件を変更するための命令を出力する制御条件変更命令出力手段とを備えることを特徴とする。
【手続補正７】
【補正対象書類名】明細書
【補正対象項目名】００２３
【補正方法】変更
【補正の内容】
【００２３】
第１１の発明は、少なくとも２つ以上の第１のデータ通信ノードを有するビデオカメラと、各々のビデオカメラと相互に通信可能な状態に接続された第２のデータ通信ノードを有する制御装置とを含む通信システムであって、上記ビデオカメラは、上記第１のデータ通信ノードから入力される情報に従って外部から制御可能な被制御手段を備え、上記制御装置は、上記第２のデータ通信ノードから外部のビデオカメラを制御するための情報を出力する制御手段と、上記少なくとも２つ以上のビデオカメラから任意のビデオカメラを選択する選択手段と、上記選択手段により選択されたビデオカメラの少なくとも撮影位置及び撮影角度の何れかを検出する検出手段と、上記検出手段での検出結果に基づいて上記選択されたビデオカメラの制御条件を変更するための命令を出力する制御条件変更命令出力手段とを備えることを特徴とする。
【手続補正８】
【補正対象書類名】明細書
【補正対象項目名】００２６
【補正方法】変更
【補正の内容】
【００２６】
第１４の発明は、複数のディジタル機器と端末装置間で相互通信を行うことで、各々のディジタル機器の動作を上記端末装置から制御するためのプログラムを格納したコンピュータ読み取り可能な記憶媒体であって、上記端末装置に備えられるコンピュータに、上記端末装置に入力されたユーザからの指示に従って、上記複数のディジタル機器から任意のディジタル機器を選択する選択手順と、上記選択手順により選択されたディジタル機器の仕様情報の要求を該機器に対して発行する要求手順と、上記要求手順により発行された要求に応じて、上記選択ディジタル機器が自機器の仕様情報を上記端末装置に対して送信すると、上記ユーザからの指示及び上記送信された仕様情報に基づいた制御条件変更命令を上記選択ディジタル機器に対して送信する送信手順と、を実行させるプログラムを格納したことを特徴とする。
【手続補正９】
【補正対象書類名】明細書
【補正対象項目名】００２７
【補正方法】変更
【補正の内容】
【００２７】
第１５の発明は、複数の撮像装置と端末装置間で相互通信を行うことで、各々の撮像装置の動作を上記端末装置から制御するためのプログラムを格納したコンピュータ読み取り可能な記憶媒体であって、上記端末装置に備えられるコンピュータに、上記端末装置に入力されたユーザからの指示に従って、上記複数の撮像装置から任意の撮像装置を選択する選択手順と、上記選択手順により選択された撮像装置の仕様情報の要求を該機器に対して発行する要求手順と、上記要求手順により発行された要求に応じて、上記選択撮像装置が自装置での少なくとも撮像位置及び撮像角度の何れかの情報を上記端末装置に対して送信すると、上記ユーザからの指示及び上記送信された情報に基づいた制御条件変更命令を上記選択撮像装置に対して送信する送信する送信手順と、を実行させるプログラムを格納したことを特徴とする。
【手続補正１０】
【補正対象書類名】明細書
【補正対象項目名】００２８
【補正方法】変更
【補正の内容】
【００２８】
第１６の発明は、上記第１４又は１５の発明において、上記プログラムは、上記コンピュータに、上記相互通信を、ＩＥＥＥ１３９４規格のシステムバスを介して行わせる手順を含むことを特徴とする。
第１７の発明は、所定の通信手段を介してカメラに接続可能な端末装置のカメラ制御方法であって、前記カメラから焦点距離情報を取得する取得ステップと、前記取得ステップにより取得した焦点距離情報に基づき、前記カメラのレンズがワイドレンズであるか否かを判断する判断ステップと、前記カメラのレンズがワイドレンズでないと判断された場合は前記カメラの電子ズーム動作を許可する許可命令を前記カメラに対して発行し、前記カメラのレンズがワイドレンズであると判断された場合は前記カメラの電子ズーム動作を禁止する禁止命令を前記カメラに対して発行する命令発行ステップと、を備えることを特徴とする。
第１８の発明は、所定の通信手段を介してカメラに接続可能な端末装置のカメラ制御方法であって、前記カメラから撮影位置情報を取得する取得ステップと、前記取得ステップにより取得した撮影位置情報に基づき、前記カメラが高速移動物体撮影位置にあるか否かを判断する判断ステップと、前記カメラが高速移動物体撮影位置にあると判断された場合は前記カメラの露光時間を最短露光時間にするための制御変更命令を前記カメラに対して発行し、前記カメラが高速移動物体撮影位置にないと判断された場合は前記カメラの露光時間を所定の標準露光時間にするための制御変更命令を前記カメラに対して発行する命令発行ステップと、を備えることを特徴とする。
第１９の発明は、所定の通信手段を介してカメラに接続可能な端末装置のカメラ制御方法であって、前記カメラから露光情報と撮影位置情報とを取得する取得ステップと、前記取得ステップにより取得した露光情報に基づき、前記カメラが暗部撮影可能な否かを判断する第１判断ステップと、前記カメラが暗部撮影可能である場合に前記カメラの撮影位置が暗部撮影位置であるか否かを判断する第２判断ステップと、前記カメラが暗部撮影位置にあると判断された場合は前記カメラのゲインコントロールの利得を現在よりも上げかつ前記カメラの露光時間を最短露光時間にするための制御変更命令を前記カメラに対して発行し、前記カメラが暗部撮影位置にないと判断された場合は前記カメラのゲインコントロールの利得を自動調整にしかつ前記カメラの露光時間を所定の標準露光時間にするための制御変更命令を前記カメラに対して発行する命令発行ステップと、を備えることを特徴とする。